(57)【要約】【課題】  様々な態様のマッサージを円滑に行うことができるとともに、ストレッチ用の運動補助具等としても使用できる多機能健康器具を提供する。【解決手段】  軸方向に一様な円形断面を有する支持シャフト４に、多数のボールベアリング２が一列に並べて嵌挿されている。隣合うボールベアリング２どうしのそれぞれの内輪２Ａ間には、外輪２Ｂ間に互いに回転可能な隙間を形成するゴムリング３が組み込まれている。これらのボールベアリング２の両端の２つは、それぞれの外側の端面が、支持シャフト４の両端の端面と略同一面内に配置され、各ゴムリング３を軸方向に圧縮した状態で支持シャフト４に固定されている。【選択図】  図２
2013233313.tif 000002
【特許請求の範囲】
【請求項１】
軸方向に一様な円形断面を有する支持シャフトと、
前記支持シャフトにそれぞれの内輪が嵌挿されて、当該支持シャフトの軸方向に沿って一列に並べて設けられた多数のボールベアリングと、
互いに隣合うボールベアリングどうしのそれぞれの内輪間に１つずつ配置されるように、前記支持シャフトに嵌挿されて、これらのボールベアリングの外輪間に個別に回転可能な隙間を形成する多数のゴムリングとを有し、
前記一列に並べて設けられた多数のボールベアリングの両端の２つは、それぞれの外側の端面が、前記支持シャフト両端の端面と略同一面内に配置されているとともに、それぞれの内輪が前記各ゴムリングを軸方向に圧縮した状態で、当該支持シャフトに固定されていることを特徴とする多機能健康器具。
【発明の詳細な説明】
【技術分野】
【０００１】
本発明は、様々な態様で使用することのできる多機能健康器具に関する。
【背景技術】
【０００２】
従来、ローラーを転動させて首や手足のマッサージを行うマッサージ具としては、例えば、特許文献１に見られるように、軸にベアリングで回転自在に支持した細長いローラーを、前記軸の両側に設けた握り部を把持して首や肩、背中等に押し当てて回転させることにより体の各部をマッサージする健康器具が提案されている。
【０００３】
また、特許文献２に見られるように、複数個の径の異なるローラー部材を、握り部を両端に設けた軸部材に回転自在に取り付けて、身体の各部の形状に合わせたマッサージを行えるようにした健康器具も提案されている。
【０００４】
さらに、特許文献３に見られるように、グリップの両端に設けたウェイトの一方を、回転自在なローラーとして、ダンベル運動を行った後に一方のウェイトを兼ねるローラーで、身体の各部位をマッサージできるようにしたマッサージ兼用ダンベルも提案されている。
【先行技術文献】
【特許文献】
【０００５】
【特許文献１】特開２０１１−１８９０９７
【特許文献２】特開平５−２９３１４４
【特許文献３】特開平８−１３１５７６号公報
【発明の概要】
【発明が解決しようとする課題】
【０００６】
特許文献１や特許文献２に記載されている健康器具は、何れも両端に握り部を有して、両手で使用するものなので、体に当てて使用できる範囲が両側の握り部の間の部分に限られているため、一人でマッサージを行う場合には使い勝手が悪く、また、片方の握り部だけを把持して使用する場合には、反対側の握り部が邪魔になる場合があった。
【０００７】
また、特許文献３に記載されているマッサージ兼用ダンベルは、ダンベル運動とマッサージの両方に使用できる利点はあるが、一方のウエイトをローラー兼用としているため、広い面積の部位のマッサージには不向きであった。
【０００８】
また、特許文献１に記載されている健康器具は、ローラーが両端でベアリングを介して軸に支持されているので、回転は円滑に行うことができるが、ローラーが長いため、軸に対して直交する方向にまっすぐに移動させないと、ローラーの一方の端と他方の端とでは、移動距離に差が生じ、ローラー表面とマッサージする部位との間に滑りが発生して回転抵抗が大きくなる問題があった。
【０００９】
一方、特許文献２や特許文献３に記載されているものは、ローラーが短いため、上記の問題はないが、ローラーと軸の間にベアリングが組み込まれていないため、回転の摩擦抵抗が大きく、ローラーを円滑に回転させることが困難である問題があった。
【００１０】
そこで、本発明は、前述したような従来技術の問題点を解消し、様々な態様のマッサージを円滑に行うことができるとともに、ストレッチ用の運動補助具等としても使用できる多機能健康器具を提供することを目的とする。
【課題を解決するための手段】
【００１１】
前述したような従来技術の問題を解決するため、本発明の多機能健康器具は、軸方向に一様な円形断面を有する支持シャフトと、前記支持シャフトにそれぞれの内輪が嵌挿されて、当該支持シャフトの軸方向に沿って一列に並べて設けられた多数のボールベアリングと、互いに隣合うボールベアリングどうしのそれぞれの内輪間に１つずつ配置されるように、前記支持シャフトに嵌挿されて、これらのボールベアリングの外輪間に個別に回転可能な隙間を形成する多数のゴムリングとを有し、前記一列に並べて設けられた多数のボールベアリングの両端の２つは、それぞれの外側の端面が、前記支持シャフト両端の端面と略同一面内に配置されているとともに、それぞれの内輪が前記各ゴムリングを軸方向に圧縮した状態で、当該支持シャフトに固定されていることを特徴としている。
【発明の効果】
【００１２】
本発明の多機能健康器具によれば、支持シャフト上に多数並んだボールベアリングの一つ一つがマッサージ用のローラーとして機能するため、マッサージ部位の湾曲に沿って曲線的に移動させてマッサージする場合にも、身体側に接触している全てのボールベアリングがそれぞれ個別に回転して、体の様々な部位を、片手又は両手で把持して円滑にマッサージすることができる。
【００１３】
また、構造上、支持シャフトの直径を大きくできるため、曲げ荷重に強く、またローラーをボールベアリングのみで構成しているため、構造が簡単で製作が容易であるとともに、高い耐久性が得られる。
【００１４】
また、本発明の多機能健康器具は、手のひらの上で回したり、床に置いて足の裏を当てて転がすことによって、手や足のツボを効果的に刺激するマッサージを行うことができる。
【００１５】
さらに、本発明の多機能健康器具は、両端をそれぞれ両手で把持したまま、左右の腕を交差させながら上体を捻ったり、膝やふくらはぎに沿って転動させながら両腕を伸ばして上体を倒すことによって、効果的なストレッチ運動を円滑に行うことができるとともに、多数配列されたボールベアリングの重量を利用して、ダンベルとしても使用することができる。
【図面の簡単な説明】
【００１６】
【図１】本発明の多機能健康器具の１実施形態を示す斜視図である。
【図２】本発明の多機能健康器具の１実施形態を示す縦断面図である。
【図３】本発明の多機能健康器具の使用方法の一例を示す図である。
【図４】本発明の多機能健康器具の使用方法の別の例を示す図である。
【図５】本発明の多機能健康器具の使用方法のさらに別の例を示す図である。
【図６】本発明の多機能健康器具の使用方法のさらに別の例を示す図である。
【図７】本発明の多機能健康器具の使用方法のさらに別の例を示す図である。
【図８】本発明の多機能健康器具の使用方法のさらに別の例を示す図である。
【発明を実施するための形態】
【００１７】
以下、図面に基づいて、本発明の実施形態を説明する。
図１は、本発明の多機能健康器具の１実施形態を示す斜視図、図２は、その内部構造を一部断面で示す側面図であって、これらの図に示すように、多機能健康器具１は、多数の同一サイズのボールベアリング２の内輪２Ａどうしの間に、ゴムリング３を挟んだ状態で支持シャフト４に嵌挿し、この支持シャフト４の両端部に位置するボールベアリング２を当該支持シャフト４に接着固定して短い棒状に構成されている。
【００１８】
支持シャフト４は、本実施形態のものにおいては、直径１５ｍｍ、長さ約２２０ｍｍのアルミニウム製の中実丸棒を使用している。また、ボールベアリング２は、内輪２Ａの内径が１５ｍｍ、外輪２Ｂの外径が３２ｍｍ、幅９ｍｍのステンレス鋼（４４０Ｃ）製の両シールド型の深溝玉軸受を２０個使用している。
【００１９】
さらに、ゴムリング３には、内径１５ｍｍのゴム製Ｏリングを１９個使用しており、各ボールベアリング２の内輪２Ａ間に挟まれたそれぞれのゴムリング３を、支持シャフト４の軸方向に僅かに圧縮した状態で、両端のボールベアリング２の端面をそれぞれ支持シャフト４の端面と略同一面に揃えて、これら両端のボールベアリング２をねじ等の緩み止め用の接着剤５で支持シャフト２に固定してある。なお、ゴムリング３は、耐久性の面からシリコンゴム製のものを用いることが望ましい。
【００２０】
前述したように構成されている多機能健康器具１は、隣り合うボールベアリング２の内輪２Ａどうしの間にゴムリング３を介在させているため、各ボールベアリング２の外輪２Ｂどうしは互いに接触することなく自由に回転することが可能である。
【００２１】
また、各ゴムリング３が常時軸方向の予圧を発生しているため、これらのボールベアリング２は支持シャフト４に対して定位置に保持されており、経時的にがたつきが発生する恐れはない。
【００２２】
なお、支持シャフト４に両端のボールベアリング２をそれぞれ固定する構造としては、本実施形態の接着剤５に限定するものではなく、図示しないが、例えば、支持シャフト４の端面近傍の外周面に、前記端面に開放されたキー溝を形成し、このキー溝内に支持シャフト４の端面側が、前記キー溝の深さより僅かに拡がった楔部材を圧入して、端面側のボールベアリング２を摩擦固定するようにしても良い。
【００２３】
さらに、図示は省略するが、前記楔部材にねじ孔を軸方向に貫通形成して、ここにねじ部材を螺合し、その先端で支持シャフト４のキー溝の垂直面を押圧することによって、楔部材を抜き出すことができ、多機能健康器具１の掃除等のための分解が可能となる。
【００２４】
また、本実施形態のものにおいては、支持シャフト４には、アルミニウム製の中実丸棒を使用しているが、これに限定するものではなく、ステンレス鋼やチタン等の耐錆性に優れた金属素材や合成樹脂等の非金属素材を用いることも可能である。また、ステンレスパイプ等の中空丸棒材を用いても良い。
【００２５】
また、本実施形態の多機能健康器具１においては、錆の発生を抑制するために、ボールベアリング２にステンレス鋼製のものを用いているが、ボールベアリングの素材は、本実施形態のものに限定するものではなく、例えば、セラミックスや合成樹脂等の非金属素材を使用してもよい。
【００２６】
以下、前述した多機能健康器具１の使用方法について説明する。
多機能健康器具１は、基本的には、支持シャフト４上に配列されている各ボールベアリング２の外輪２Ｂが個別にマッサージローラーの役割を果たし、頸部や腕、腰部等のマッサージ具として使用することができる。
【００２７】
（頸部及び肩部のマッサージ）
頸部のマッサージは、図３に示すように多機能健康器具１の一方の端を片手で把持して首筋に沿って上下に移動させて行うことができる。さらに、肩に沿って移動させて肩をマッサージする。また、多機能健康器具１によって首や肩を軽く叩いてマッサージすることもできる。
【００２８】
（腕部のマッサージ）
腕部のマッサージは、図４に示すように、多機能健康器具１を反対側の手で把持して、前腕と上腕の間の表裏両側を腕に沿って移動させて行うことができる。
また、人にマッサージしてもらう場合には、マッサージをする側の人が両手で多機能健康器具１の両端部を保持して、多機能健康器具１の中央部分にマッサージされる側の人が腕を当て、マッサージする側の人が多機能健康器具１を相手の腕に沿って転動させてマッサージを行う。
【００２９】
（腰部のマッサージ）
腰部のマッサージは、図示は省略するが、背もたれのない椅子に腰掛け、多機能健康器具１の両端部を把持し、その中央部を腰椎や仙骨の上を上下に動かしたり、背中の脇を上下に動かす方法が有効である。
【００３０】
また、人にマッサージしてもらう場合には、マッサージされる側の人は、うつぶせに寝た状態となり、マッサージする側の人は、多機能健康器具１の両端部を両手で保持して相手の背中から腰にかけて往復移動させる。
この場合は、マッサージする側の人が自分の体重をかけて行えるため、自分一人で行うマッサージと比較してより大きな効果を期待できる。
【００３１】
（脚のマッサージ）
太ももの裏側やふくらはぎのマッサージは、椅子やソファーに腰掛けて脚の筋肉を緩めた状態で、図５に示すように、多機能健康器具１の両端を両手で把持して上下に移動させて行う。なお、図示は省略するが、膝や足の甲も同様にして行うことができる。
【００３２】
（足の裏のマッサージ）
足の裏のマッサージは、図６に示すように、床Ｆの上に多機能健康器具１を置き、その上に椅子等に座った姿勢で両足あるいは片足を乗せて足を前後に動かし、多機能健康器具１を転がす。この動作によって足裏のツボを効果的に刺激するマッサージを行うことができる。
【００３３】
なお、床Ｆにカーペット等が敷いて無い場合には、多機能健康器具１が転がる騒音を防ぐために、同図に示すように、床Ｆに薄手のタオルＴを敷いた上に、多機能健康器具１を使用することが望ましい。
【００３４】
（手のひらのマッサージ）
図７に示すように、多機能健康器具１の中央部を手のひらに乗せてバランスをとりながら小指側から親指側へ向けて指先を波打つように動かすことによって、手のひらの上で多機能健康器具１を一方向に連続的に回転させることができる。
【００３５】
このような、回転運動を行うことによって、多機能健康器具１の重さで手指のツボを刺激するマッサージを行うことができるとともに、指の運動感覚のトレーニングを行うことができる。
【００３６】
（腕の交差捻り運動）
以上、多機能健康器具１によって身体の様々な部位をマッサージする方法を説明したが、この多機能健康器具１は、前述したようなマッサージ具としての用途の他に、運動補助具としても利用することができる。
【００３７】
図８は、多機能健康器具１を用いて腕の交差捻り運動を行う方法を説明した図であって、先ず、同図Ａに示すように、多機能健康器具１の両端を、手のひらを上に向けて両手で把持する。
【００３８】
次に、そのまま右手を甲が上を向くように多機能健康器具１の右端部を手前に捻ると、同図Ｂのように多機能健康器具１を水平姿勢のまま、右に９０度回転することができる。
【００３９】
この状態から、今度は、左手を甲が上を向くように多機能健康器具１の左手側を捻り、同図Ｃのように、多機能健康器具１を水平姿勢のままさらに右に９０度回転させて左腕が右腕の上に重なるように両腕を交差させる。ここから、同図Ｂを経由して同図Ｃの状態に戻る。同様な動作を左右の腕を逆にして行う。
【００４０】
さらに、前述した腕の交差捻り運動を立った状態で、上体を左右に捻って腕を大きく左右に水平旋回させる運動と同時に行うことで、腰部から上体にかけて効果的なストレッチ運動を行うことができる。
【００４１】
なお、図８においては、多機能健康器具１の両端を手のひらを上に向けて把持した位置から手首を捻っているが、反対に、手のひらを下に向けて多機能健康器具１の両端を把持した位置から手首を捻る運動も可能である。
【００４２】
また、多機能健康器具１の両端をそれぞれ両手で把持したまま、左右の腕を伸ばして交差させながら上体を側方に倒したり、膝やふくらはぎに沿って転動させながら両腕を伸ばして上体を倒すことによって、効果的なストレッチ運動を行うことができる。さらに、多機能健康器具１は、多数配列されたボールベアリング２の重量を利用して、軽いダンベル運動に使用することができる。
【産業上の利用可能性】
【００４３】
本発明の多機能健康器具は、血流やリンパの流れを促進するための体の各部のマッサージを行うマッサージ具として利用可能である。また、四肢や背筋等のストレッチ運動を行う場合の運動補助具としても利用可能であり、さらにダンベルとしても利用可能である。
【符号の説明】
【００４４】
１    多機能健康器具
２    ボールベアリング
２Ａ  内輪
２Ｂ  外輪
３    ゴムリング
４    支持シャフト
５    接着剤
Ｆ    床面
Ｔ    タオル
【図１】
2013233313.tif 000003
【図２】
2013233313.tif 000004
【図３】
2013233313.tif 000005
【図４】
2013233313.tif 000006
【図５】
2013233313.tif 000007
【図６】
2013233313.tif 000008
【図７】
2013233313.tif 000009
【図８】
2013233313.tif 000010